(57)【要約】【課題】使用者の身長等の違いに関わらずＩＣカードをＩＣカードリーダーにかざし易くして操作性を高めた画像形成装置を提供すること。【解決手段】非接触式のＩＣカードに入力されたデータを読み取るＩＣカードリーダー１を装置本体１０Ａに設置して成る画像形成装置１０において、前記ＩＣカードリーダー１の検知面１ａを前記装置本体１０Ａに対して下方を向く角度に設置する。また、回動可能に設置し、その傾斜角度を調整可能とする。例えば、前記ＩＣカードリーダー１の互いに離間した位置に設けられた２つの係合凸部２，３を前記装置本体１０Ａ側に形成された円弧状の係合孔５，６にそれぞれ係合させ、前記一方の係合凸部２（３）を支点として前記ＩＣカードリーダー１を回動させてその傾斜角度を調整可能とする。【選択図】図２
2014167511.tif 000002
【特許請求の範囲】
【請求項１】
非接触式のＩＣカードに入力されたデータを読み取るＩＣカードリーダーを装置本体に設置して成る画像形成装置において、
前記ＩＣカードリーダーを前記装置本体に対して検知面が下方を向く角度に設置したことを特徴とする画像形成装置。
【請求項２】
前記ＩＣカードリーダーを前記装置本体に対して回動可能に設置し、前記検知面の傾斜角度を調整可能としたことを特徴とする請求項１記載の画像形成装置。
【請求項３】
前記ＩＣカードリーダーの前記検知面は前記装置本体の前面側の略垂直面に沿う傾斜角度、および前記略垂直面から下方および上方を向く傾斜角度に姿勢変更可能であることを特徴とする請求項２記載の画像形成装置。
【請求項４】
前記ＩＣカードリーダーの互いに離間した位置に設けられた２つの係合凸部を前記装置本体側に形成された円弧状の係合孔にそれぞれ係合させ、前記一方の係合凸部を支点として前記ＩＣカードリーダーを回動させてその傾斜角度を調整可能としたことを特徴とする請求項２又は３記載の画像形成装置。
【請求項５】
前記ＩＣカードリーダーの回動位置をロックするためのロック機構を設けたことを特徴とする請求項２〜４の何れかに記載の画像形成装置。
【請求項６】
前記ＩＣカードリーダーを前記画像形成装置の操作部の下面に設置したことを特徴とする請求項１〜２の何れかに記載の画像形成装置。
【発明の詳細な説明】
【技術分野】
【０００１】
本発明は、非接触式のＩＣカードに入力されたデータを読み取るためのＩＣカードリーダーを装置本体に設置して成る画像形成装置に関するものである。
【背景技術】
【０００２】
電子写真方式によって用紙に画像を形成する複写機等の画像形成装置にはＩＣカードリーダーが設置されたものがあり、個人コード等のデータが入力された非接触式のＩＣカードをＩＣカードリーダーの検知面にかざすと、該ＩＣカードに入力されたデータがＩＣカードリーダーによって読み取られる。
【０００３】
斯かるＩＣカードリーダーを備えた画像形成装置においては、ＩＣカードリーダーは例えば装置本体上部の操作部の横に固設され、その角度を自由に調整することができなかった。
【０００４】
ところで、特許文献１には、装置本体に個人別コードを入力するＩＣカードリーダーを備えた画像形成装置において、操作者がカードを用いて個人別コードを入力したときは、昇降装置によって画像形成装置の高さを自動的にその入力コードに対応した高さになるよう制御する構成が提案されている。
【先行技術文献】
【特許文献】
【０００５】
【特許文献１】特開平８−１０６２４０号公報
【発明の概要】
【発明が解決しようとする課題】
【０００６】
しかしながら、特許文献１において提案された画像形成装置を含む従来の画像形成装置においては、ＩＣカードリーダーが装置本体の上面等に設置され、その角度を自由に調整することができなかったため、車椅子使用者、或いは健常者であっても体格（伸長）の違いによってＩＣカードをＩＣカードリーダーの検知面にかざしにくいという問題があった。
【０００７】
本発明は上記問題に鑑みてなされたもので、その目的とする処は、使用者の身長が低い場合でもＩＣカードをＩＣカードリーダーにかざし易くして操作性を高めた画像形成装置を提供することにある。
【課題を解決するための手段】
【０００８】
上記目的を達成するため、請求項１記載の発明は、非接触式のＩＣカードに入力されたデータを読み取るＩＣカードリーダーを装置本体に設置して成る画像形成装置において、前記ＩＣカードリーダーを前記装置本体に対して検知面が下方を向く角度に設置したことを特徴とする。
【０００９】
請求項２記載の発明は、請求項１記載の発明において、前記ＩＣカードリーダーを前記装置本体に対して回動可能に設置し、前記検知面の傾斜角度を調整可能としたことを特徴とする。
【００１０】
請求項３記載の発明は、請求項２記載の発明において、前記ＩＣカードリーダーの前記検知面は前記装置本体の前面側の略垂直面に沿う傾斜角度、及び前記略垂直面から下方及び上方を向く傾斜角度に姿勢変更可能であることを特徴とする。
【００１１】
請求項４記載の発明は、請求項２又は３記載の発明において、前記ＩＣカードリーダーの互いに離間した位置に設けられた２つの係合凸部を前記装置本体側に形成された円弧状の係合孔にそれぞれ係合させ、前記一方の係合凸部を支点として前記ＩＣカードリーダーを回動させてその傾斜角度を調整可能としたことを特徴とする。
【００１２】
請求項５記載の発明は、請求項１〜４の何れかに記載の発明において、前記ＩＣカードリーダーの回動位置をロックするためのロック機構を設けたことを特徴とする。
【００１３】
請求項６記載の発明は、請求項１又は２記載の発明において、前記ＩＣカードリーダーを前記画像形成装置の操作部の下面に設置したことを特徴とする。
【発明の効果】
【００１４】
本発明によれば、車椅子使用者であっても、或いは身長の異なる使用者であっても、ＩＣカードがＩＣカードリーダーにかざし易くなって操作性が高められる。
【図面の簡単な説明】
【００１５】
【図１】本発明に係る画像形成装置の斜視図である。
【図２】（ａ），（ｂ）は本発明に係る画像形成装置のＩＣカードリーダー設置部の斜視図である。
【図３】本発明に係る画像形成装置におけるＩＣカードリーダーの回動機構を示す図で当て、（ａ）は側面図、（ｂ）は（ａ）のＡ−Ａ線破断面図である。
【図４】本発明の別形態に係る画像形成装置のＩＣカードリーダー設置部を斜め下方から見た斜視図である。
【発明を実施するための形態】
【００１６】
以下に本発明の実施の形態を添付図面に基づいて説明する。
【００１７】
図１は本発明に係る画像形成装置の斜視図、図２（ａ），（ｂ）は同画像形成装置のＩＣカードリーダー設置部の斜視図、図３ハ同画像形成装置におけるＩＣカードリーダーの回動機構を示す図で当て、（ａ）は側面図、（ｂ）は（ａ）のＡ−Ａ線破断面図である。
【００１８】
図１に示す画像形成装置１０は、胴内排紙型の複写機であって、その装置本体１０Ａの上部には画像読取部１１が配置されており、その下方には胴内排紙用の排紙トレイ１２が形成されている。そして、画像読取部１１の前面側端部には操作部１３が設けられており、この操作部１３の横の略垂直な壁部にはＩＣカードリーダー１が設置されており、このＩＣカードリーダー１は後述の機構によって回動可能に支持されており、その傾斜角度を任意に調整することができる。
【００１９】
又、図１に示す画像形成装置１の前記排紙トレイ１２の下方には、上下３段の給紙カセット１４，１５，１６が手前側に引き出し可能に設置されており、各給紙カセット１４〜１６には複数枚の不図示の用紙が積層状態で収容されている。尚、図示しないが、装置本体１０Ａの内部には、像担持体である感光ドラム、該感光ドラムの表面を一様に帯電させる帯電器、帯電した感光ドラムの表面にレーザー光を露光走査して画像情報に応じた静電潜像を形成するレーザースキャナーユニット（ＬＳＵ）、感光ドラム上に形成された静電潜像を現像剤であるトナーによって現像して顕像化する現像装置、感光ドラム上に形成されたトナー像を用紙上に転写する転写機、用紙上に転写されたトナー像を加熱及び加圧して定着させる定着装置等の各種プロセス機器が収容されている。排出トレイ１２の右方と後方には壁部が形成されており、前方及び左方は開放されている。右方の壁部の内部には定着装置などのプロセス機器の一部が収納されており、排出トレイ１２に面する左側の壁面に形成された排出口から画像形成された用紙が排出トレイ１２に排出される。又、画像読取部１１は右方と後方の壁部はにより装置本体１０に支持されている。操作部１３は右方の壁部の上方において、画像読取部１１の前面側端部に設けられている。
【００２０】
ところで、前記ＩＣカードリーダー１は、使用者が自己の所持する非接触式のＩＣカードを平面状の検知面１ａにかざすと、そのＩＣカードに入力された個人別コード等のデータを読み取るものであって、本実施の形態では、このＩＣカードリーダー１は前述のように回動可能であって、例えば使用者が車椅子使用者である場合には、図２（ａ）に示すようにＩＣカードリーダー１を矢印方向に回動させて斜め下向きにその角度を変更することができる。このようにＩＣカードリーダー１を斜め下向きに傾けることによって、車椅子使用者であっても、ＩＣカードをＩＣカードリーダー１の検知面１ａにかざし易くなるため、その読取操作性が高められる。
【００２１】
又、身長の高い使用者である場合には、図２（ｂ）に示すようにＩＣカードリーダー１を矢印方向に回動させて斜め上向きにその角度を変更することができる。このようにＩＣカードリーダー１を斜め上向きに傾けることによって、身長の高い使用者であっても、ＩＣカードをＩＣカードリーダー１の検知面１ａにかざし易くなるため、読取操作性が高められる。そして、ＩＣカードリーダー１の傾斜角度は使用者の身長に応じて最適に調整することができ、使用者の身長等の違いに関わらずＩＣカードがＩＣカードリーダー１にかざし易くなり、全ての使用者にとって操作性が高められる。
【００２２】
次に、ＩＣカードリーダー１の角度調整機構の具体的な構成を図３に基づいて説明する。
【００２３】
ＩＣカードリーダー１の左右両端部の背面には、各２つの円柱状の係合凸部２，３（図３には一方のみ図示）が上下に取り付けられており、これらの係合凸部２，３は、装置本体１０Ａのフレーム４に形成された円弧状の係合孔５，６にそれぞれ摺動可能に係合している。
【００２４】
又、ＩＣカードリーダー１の背面の左右には図３（ｂ）に示すようなブロック体７（図３（ｂ）には一方のみ図示）が取り付けられており、このブロック体７の上下には外側方（図３（ｂ）の左方）に開口する横孔７ａが形成されている。そして、各横孔７ａには、スプリング８と、該スプリング８によって外側方に付勢されたボール９がそれぞれ収容されており、左右の各フレーム４の図３（ａ）に示す複数箇所には、ボール９が選択的に係合するための円孔４ａが形成されている。尚、スプリング８とボール９及び円孔４ａは、ＩＣカードリーダー１を所定の角度位置に固定するためのロック機構を構成している。
【００２５】
以上のように構成された角度調整機構が備えられたＩＣカードリーダー１を例えば上方の係合凸部２を支点として図３（ａ）の反時計方向（図２（ａ）の矢印方向）に回動させれば、下方の係合凸部３は下方の係合孔６に沿って摺動し、ＩＣカードリーダー１はその傾斜角度が図３（ａ）に破線ａ又は破線ｂにて示すように斜め下向きになるよう調整され、このとき、ロック機構を構成するボール８がフレーム４の円孔４ａに係合することによってＩＣカードリーダー１は調整後の角度位置に固定される。
【００２６】
又、ＩＣカードリーダー１を下方の係合凸部３を支点として図３（ａ）の時計方向（図２（ｂ）の矢印方向）に回動させれば、上方の係合凸部２は上方の係合孔５に沿って摺動し、ＩＣカードリーダー１はその傾斜角度が図３（ａ）に破線ｃ又は破線ｄにて示すように斜め上向きになるよう調整され、このとき、ロック機構を構成するボール９がフレームの４円孔４ａに係合することによってＩＣカードリーダー１は調整後の角度位置に固定される。
【００２７】
以上のように、本発明によれば、車椅子使用者であっても、或いは身長の異なる使用者であっても、ＩＣカードリーダー１の傾斜角度を使用者に最適な角度に調整することができるため、ＩＣカードがＩＣカードリーダー１にかざし易くなって操作性が高められるという効果が得られる。又、ＩＣカードリーダー１の検知面１ａを上向きの傾斜角度に調整する場合には、検知面１ａの上端側が画像形成装置１の前方の略垂直な壁部から後方に移動する。検知面１ａを下方向きの傾斜角度に調整する場合には、検知面１ａの下端が画像形成装置１の前方の略垂直な壁部から後方に移動する。このため、検知面１ａは画像形成装置１の前方の略垂直な壁部から前方に突出することがなく、下方に配置された排紙トレイ１２の視認性を妨げることがない。従って、使用者は排出トレイに排出された印刷物を容易に取り出すことが可能である。
【００２８】
尚、以上の実施の形態では、ＩＣカードリーダー１を画像形成装置１０の画像読取部１１の正面に略垂直に設置したが、図４に示すようにＩＣカードリーダー１を操作部１３の下面に略水平に設置しても良い。ＩＣカードリーダー１を取り付けるための部材及びスペースにおいて、既存の構成を効果的に利用することが可能である。このため、ＩＣカードリーダーを設けるためのスペースや構成を新たに設ける必要などがないため、装置の設計が容易になるとともに、装置のコストを低減することも可能である。又、図４２示す構成において、ＩＣカードリーダー１を同様に回動可能としてその傾斜角度を任意に調整することができるようにしても良い。
【００２９】
図４に示す構成にすれば、車椅子使用者であってもＩＣカードがＩＣカードリーダー１にかざし易く操作性が高められる。又、操作部１３は排出トレイ１２の視認性を妨げないように右方の壁部の上方に設けられている。従って、ＩＣカードリーダーを操作部１３の裏面以外の場所に設けることによって、排出トレイ１２の視認性が低下することを避けることが可能である。
【符号の説明】
【００３０】
１          ＩＣカードリーダー
１ａ        ＩＣカードリーダーの検知面
２，３      係合凸部
４          フレーム
４ａ        フレームの円孔
５，６      係合孔
７          ブロック体
８          スプリング
９          ボール
１０        画像形成装置
１０Ａ      画像形成装置本体
１１        画像読取部
１２        排紙トレイ
１３        操作部
１４〜１６  給紙カセット
【図１】
2014167511.tif 000003
【図２】
2014167511.tif 000004
【図３】
2014167511.tif 000005
【図４】
2014167511.tif 000006